(57)【要約】【課題】  新しいドア枠を正確に取り付けることができるとともに、大きくした穴（開口）の上方側の隙間と左右側部の一方側隙間の大きさがまちまちな場合でも、このような隙間を隠すことができ、しかも、棚などのスペースユニットを有効に設定することができるドア枠の取り付け方法及び取り付け構造を提供する。【解決手段】  古いドア枠に代えて新たなドア枠Ｄｗを取り付けるドア枠の取り付け方法において、古いドア枠よりも大きな開口Ｈを壁Ｋに開けたときに、開けすぎた側面側の開口端部ｈ１を基準部材Ｎを取り付けて直線的に隠し、この基準部材Ｎに対して新しいドア枠Ｄｗの端部Ｄｒを背合わせにして取り付ける。【選択図】  図３
2009079468.tif 000002
【特許請求の範囲】
【請求項１】
古いドア枠に代えて新たなドア枠を取り付けるドア枠の取り付け方法において、古いドア枠よりも大きな開口を壁に開けたときに、開けすぎた左右の側面側の開口端部の少なくとも一方を基準部材を取り付けて直線的に隠し、この基準部材に対して新しいドア枠の端部を背合わせにして取り付けることを特徴とするドア枠の取り付け方法。
【請求項２】
前記ドア枠を取り付けた後、開けすぎた上方側の開口端部を棚や化粧板などのスペースユニットにより隠すことを特徴とする請求項１記載のドア枠の取り付け方法。
【請求項３】
前記基準部材を棚や化粧板などのスペースユニットにより隠すことを特徴とする請求項１又は２項記載のドア枠の取り付け方法。
【請求項４】
前記スペースユニットに前記基準部材の厚みに対応した長さの突出部を備え、この突出部を壁に接触させた状態で、前記スペースユニットの位置を移動させるか、又は、前記基準部材の位置を移動させることを特徴とする請求項３記載のドア枠の取り付け方法。
【請求項５】
古いドア枠に代えて新たなドア枠を取り付けるドア枠の取り付け構造において、古いドア枠よりも大きな開口を壁に開けたときに、開けすぎた側面側の開口端部の少なくとも一方を基準部材を取り付けて直線的に隠し、この基準部材に対して新しいドア枠の端部を背合わせにして取り付けることを特徴とするドア枠の取り付け構造。
【請求項６】
前記ドア枠を取り付けた後、開けすぎた上方側の開口端部を棚や化粧板などのスペースユニットにより隠すことを特徴とする請求項５記載のドア枠の取り付け構造。
【請求項７】
前記基準部材は、床面から垂直に立設される板状の部材であることを特徴とする請求項５記載のドア枠の取り付け構造。
【請求項８】
前記スペースユニットに前記基準部材の厚みに対応した長さの突出部を備え、この突出部を壁に接触させた状態で、前記スペースユニットの位置を移動させるか、又は、前記基準部材の位置を移動させることを特徴とする請求項６又は７記載のドア枠の取り付け構造。
【請求項９】
前記左右の各基準部材とこの上に架け渡す基準部材とは同じ厚みであり、前記左右の各基準部材は同じ長さであることを特徴とする請求項５記載のドア枠の取り付け構造。
【請求項１０】
前記ドア枠は、ユニットバスルームとこれと隣接する洗面更衣室との間に取り付けられるものであることを特徴とする請求項５から９のいずれか一項記載のドア枠の取り付け構造。
【発明の詳細な説明】
【技術分野】
【０００１】
本発明は、住宅の新築又はリフォームにおいて、ドアがはめ込まれるドア枠の取り付け方法及び取り付け構造に関する。
【背景技術】
【０００２】
例えば、住宅の新築又はリフォームにおいて、ドアがはめ込まれるドア枠の取り付け方法及び取り付け構造を、ユニットバスルームとこれと隣接する洗面更衣室との間の例で説明する。ここで、ユニットバスルームとは、工場であらかじめ成型加工された浴槽、天井、床、壁などを、現場に搬入した後にそれらを組み立てる工法の浴室（バスルーム）のことであり、タイルを一枚一枚貼って造る在来工法の浴室と比べ、短時間での施工が可能なうえに階下への水漏れのリスクが少ないことなどから、一戸建て住宅からマンション、ホテル、アパート、病院等にいたるまで、様々な建築物に用いられている。
【０００３】
ユニットバスルームとこれと隣接する洗面更衣室との間の壁に新しいドア枠を取り付ける場合、工場であらかじめ成型加工された浴槽、天井、床などを搬入して設置するためには、既存のドア枠よりも一回り大きく壁を開けることが必要となる。この開放される空間の施工は、できるだけ綺麗に仕上げる必要性からは所定の四角形状に綺麗に穴を開けることが望まれるが、工事の速やかな作業の点からは、取り急ぎ既存のドア枠よりも一回り大きく壁を開ける必要がある。実際には、左右側部の一方と下面は、そのままにして、上方側と他の一方側面部を大きく開口したり、下面は、そのままにして、上方側と左右両方の側面部を大きく開口したりするが、新しいドア枠を壁の開放部分に取り付けても、開けた壁とドア枠との間の隙間（上方側の開口端部と左右側部の一方側又は両側の開口端部）を隠す必要がある。すなわち、壁塗りを施すことは費用と手間と時間がかかるので、洗面更衣室の側では、更衣室との兼ね合いからタオルや着替えを入れることができる棚を上記隙間（開口端部）を隠す部材として取り付けることが考えられる。なお、これと関連する従来技術としては、特許文献１を挙げることができる。一方、建物の開口部を形成する躯体とユニットバスのようなユニットルームのドア枠との位置ずれを容易に吸収して取付けの納まりを良くしながら施工性を高め、それでいて、外観を高めることができるユニットルームのドア枠取付構造を提供する技術としては特許文献２が既に開示されている。
【特許文献１】特開平１１−６２２８４号公報
【特許文献２】特許第３５３４００５号公報
【発明の開示】
【発明が解決しようとする課題】
【０００４】
ところで、住宅の古い浴室に変えてユニットバスルームを新しく入れ替える場合や、バスルームを新しくする場合、これらバスルームと隣接する洗面更衣室も同時に新しくすることがほとんどであり、このためこれらの間のドア枠も新しくするものであるが、これらの工事やリフォームはできるだけ工期を早くして安い費用でリフォームが行われることが望まれる。そして、上記隙間（開口端部）などが見えない外観上の見栄えを良好にして、しかも、施工条件に種々の不確定な要素があっても、位置ずれなどが生じないように正確なドア枠の取り付けが必要になる。すなわち、間柱などがない場合において、壁に開ける穴が一律にならず種々の相違が生じても、ドア枠が傾いたりしないように正確に取り付けることができれば、早い工期で仕上げることができる。一般的に、近年のユニットバスルームやこれと通じるためのドア枠は、古い住宅の場合よりも大型になっているのが通常である。
【０００５】
しかしながら、特許文献１は、ユニットバスルームと洗面脱衣室間の間柱により作られた通常１５０ｍｍ前後の隙間（デッドスペース）を収納スペース等に活用するための方法及びその装置に関するものであり、開けた壁とドア枠との間の隙間を隠すようなものではない。また、間柱がない場合には、そもそも役に立たない。
【０００６】
また、特許文献２は、取付けプレートの一端を建物の開口部における躯体に取付け、他端をユニットルームの構成部材及びドア枠に取付け、額縁状のドア取付け枠を取付けプレートを覆うようにして開口部の躯体に付設し、ドア枠と取付けプレートとの間に形成した隙間にドア取付け枠のユニットバスルーム側の端部を挿入配置したことを特徴とするものであり（その請求項１参照）、構造が複雑で、簡易な工法で早期に完成できるものではない。
【０００７】
そこで、本発明の目的は、新しいドア枠を正確に取り付けることができるとともに、大きくした穴（開口）の上方側の開口端部（隙間）と左右側部の一方側又は両側隙間（開口端部）の大きさがまちまちな場合でも、このような隙間を隠すことができ、しかも、棚や化粧板などのスペースユニットを有効に設定することができるドア枠の取り付け方法及び取り付け構造を提供することにある。
【課題を解決するための手段】
【０００８】
本発明のドア枠の取り付け方法と構造は、古いドア枠に代えて新たなドア枠を取り付けるドア枠の取り付け方法において、古いドア枠よりも大きな開口を壁に開けたときに、開けすぎた側面側の開口端部の少なくとも一方を基準部材を取り付けて直線的に隠し、この基準部材に対して新しいドア枠の端部を背合わせにして取り付けることを特徴とする。なお、古いドア枠よりも大きな開口を壁に開けたときに、開けすぎた左右の側面側の開口端部を各々基準部材を取り付けて直線的に隠し、この左右の各基準部材に対して新しいドア枠の左右の端部を背合わせにして取り付けるものでも良い。
【０００９】
本発明によれば、壁に穴（開口）を大きく形成した後、この壁の穴を開けた箇所に基準となる基準部材を取り付け、この基準部材により、開けすぎた側面側の開口端部を直線的に隠し、この基準部材に対して新しいドア枠の端部を背合わせにして取り付けることから、間柱などがなくても、新しいドア枠を大きめに開けた開口に対して正確な位置に取り付けことができる。すなわち、開口の左右側部の一方側又は両側の開口端部は綺麗に開口しなくとも、基準部材を配置した後これと背合わせにすることで、左右側部とも位置合わせでき、新しいドア枠を正確な位置に取り付けことができる。そして、壁の穴を大きく形成すると、その開放された穴によっては、ドア枠の設置箇所が左右にずれることがあるが、このようにドア枠が予定の設置位置より少しずれたとしても、基準部材との背合わせを行いながら位置を修正することで、ドア枠を傾けてしまうようなことがなく、正確に配設することができる。
【００１０】
本発明としては、前記ドア枠を取り付けた後、開けすぎた上方側の開口端部を棚や化粧板等のスペースユニットにより隠すことが好ましい。本発明によれば、壁塗りを施すことなく、大きく開口形成する上方側の開口端部を隠すことができる。
【００１１】
本発明としては、前記基準部材に対してこれと同じ大きさか、これよりも一回り大きな棚などのスペースユニットを取り付けた後、このスペースユニットで基準部材を覆い隠すことができる。本発明によれば、壁塗りを施すことなく、前記基準部材をスペースユニットで覆い隠すことで、外観上は基準部材を見えなくすることができる。
【００１２】
本発明としては、前記基準部材は、床面から垂直に立設される長板状の部材であり、この垂直な長板状の基準部材を基準にして棚などのスペースユニットや新しいドア枠の取り付け位置を設定することが好ましい。本発明によれば、前記基準部材は、床面から垂直に立設される長板状の部材であることから、壁に間柱を取り付ける煩雑性がない。
【００１３】
本発明としては、前記スペースユニットに前記基準部材の厚みに対応した長さの突出部を備え、この突出部を壁に接触させた状態で、前記スペースユニットの位置を移動させるか、又、前記基準部材の位置を移動させることができる。本発明によれば、前記スペースユニットに前記基準部材の厚みに対応した長さの突出部を備え、この突出部を壁面に接触させ移動させながらスペースユニットの取り付け位置を設定することで、前記基準部材を外観上はこれを認識できないように隠すことができる。
【００１４】
本発明としては、前記ドア枠を取り付けた後、開けすぎた上方側の開口端部を前記左右の各基準部材の上に更に基準部材を横方向に架け渡すことにより隠すこともできる。この発明によれば、新しいドア枠を左右の基準部材で挟み込むようにして左右の位置合わせを行うことができる。
【発明の効果】
【００１５】
本発明によれば、壁の穴を大きく開けた後、この壁の穴を開けた箇所に基準となる基準部材を取り付け、この基準部材で開けすぎた開口端部（隙間）を直線的に隠し、この基準部材に対して棚や化粧板などのスペース部材や新しいドア枠の取り付け位置を設定することから、壁に開ける穴が一律にならず種々の相違が生じても、又、間柱などがなくても、基準部材を基準として、新しいドア枠やスペースユニットを正確な位置に取りつけることができる。前記基準部材をスペースユニットで覆い隠して、外観上は基準部材を見えなくすることで、壁塗りを施すことをできるだけ少なくなくして、早い工期で仕上げることが可能になる。
【発明を実施するための最良の形態】
【００１６】
以下、本発明の一実施の形態を図面を参照して詳細に述べる。
【００１７】
（第１の実施形態）
本実施の形態は、木造住宅の浴室を新しくユニットバスルームにリフォームした際に、ユニットバスルームと洗面脱衣室との間に、棚などのスペースユニットや新しいドア枠を取り付けるものである。ここで、図１から図６は、新しいドア枠Ｄｗの取り付け方法を説明するもので、符号Ｂｒは、ユニットバスルームであり、符号Ｂは浴槽（バスタブ）であり、符号Ａｒは、洗面脱衣室であり、符号Ｋは、ユニットバスルームＢｒと洗面脱衣室Ａｒとの間の壁である。本実施の形態では、本発明は、ユニットバスルームＢｒと洗面脱衣室Ａｒとの間の壁Ｋに穴（開口）Ｈを大きく開けたときに生じる左右側部の一方側の開口端部ｈ１と上方側の開口端部ｈ２を隠すように、基準部材Ｎを介してスペースユニットＵ１，Ｕ２や新しいドア枠Ｄｗを取り付けるものである。
【００１８】
スペースユニットＵ１，Ｕ２は、第１と第２のスペースユニットＵ１，Ｕ２が使用され、いずれも洗面更衣室Ａｒの側で配設される（図６）。ここでは、洗面更衣室Ａｒでの利便性を高めるためにタオルや着替えを入れることができる木製の棚として説明するが、これに限らず、樹脂製やステンレス製の棚であっても良く、又、物干しを吊り下げることができるアームが収納された収納ユニットが配設されるものでも良く、単に化粧板でも良い。第１のスペースユニットＵ１は、基準部材Ｎと同じ高さのもので、基準部材Ｎを背面側にしてこれと接触させて取り付けられる。すなわち、第１のスペースユニットＵ１は、洗面更衣室Ａｒの床面Ａ２から垂直に立設されるものであり、基準部材Ｎとともに側面側の開口端部ｈ１を隠す役割を果たす。第１のスペースユニットＵ１の背面には、その片側に突出部Ｕｔが設けられている。この突出部Ｕｔは、基準部材Ｎを隠すために設けられるものであり、前記基準部材Ｎの厚みＮ１に対応した長さを有する。なお、第１のスペースユニットＵ１と基準部材Ｎは、上方側を所定長さにカットして使用するものでも良く、このため上方端側をカットし易い構造にしておくと良い（図２中の一点鎖線はカットラインを示す。）。
【００１９】
第２のスペースユニットＵ２は、壁Ｋの開口の上方の開口端部ｈ２を隠す役割を果たすものであり、タオルや着替え等を収納できる横型の棚で説明しているが、物干しを吊り下げることができるアームが収納された収納ユニットや乾燥装置等が取り付けられていても良い。第２のスペースユニットＵ２は、同じ高さの基準部材Ｎと第１のスペースユニットＵ１の上に載置される。なお、第２のスペースユニットＵ２は、適宜、その横方向の長さをカットして使用するものとする。
【００２０】
基準部材Ｎは、側面側の開口端部ｈ１を直線的に隠すとともに、ドア枠Ｄｗや第１と第２のスペースユニットＵ１，Ｕ２の位置を設定するための基準となるものであり、洗面脱衣室Ａｒの床面Ａ２から垂直に立設される板状の部材である。ここでは、木製の部材を使用しているが、樹脂製や金属製等であっても良い。なお、ユニットバスが設置されるバスルームＢｒ側の開放された壁の穴の下方は、通常、洗面脱衣室Ａｒの床面Ａ２よりも低くなっているが、洗面脱衣室Ａｒの床面Ａ２から垂直に立設されるものである。この基準部材Ｎは、上記第１のスペースユニットＵ１を取り付けることで、外観上は認識できなくなる。
【００２１】
本実施の形態のドア枠の取り付け方法としては、まず、元のドアを除去する時に、元のドア枠の外周にこれよりも大きな穴（開口）Ｈを開ける（図１）。工場であらかじめ成型加工された浴槽、天井、床などを搬入して設置するために大きくする上記開口Ｈは、元の開口の上方側の開口端部ｈ２と側面側の開口端部ｈ１を広くすれば足り、下方側面ｈ４と左右側部の他方側面ｈ３は、元の開口端部とそのまま使用することが多いので、そのまま使用する。そして、開口ｈ１，ｈ２，ｈ３，ｈ４の側面側の開口端部ｈ１と上方側の開口端部ｈ２とは、正確な四角形状になるようにして開けることが理想的であるが、既設の壁に正確な四角形状の開口Ｈを開けることは、実際には不可能であり、本実施の形態では、その必要もなく、大まかな穴（開口）ｈ１，ｈ２を開ければ足りる。
【００２２】
次に、基準部材Ｎを取り付ける。基準部材Ｎは、壁Ｋの穴（開口）Ｈの片側隙間（左右の一方の側面側の開口端部）ｈ１を直線的に隠すようにして、洗面脱衣室Ａｒの床面Ａ２から垂直に立設させる（図２）。そして、新しいドア枠Ｄｗを壁Ｋの穴（開口）に取り付ける。新しいドア枠Ｄｗの取り付けに際しては、図１中の左側面ｈ３と下面ｈ４は、元々のライン（線）が引き出されているので、これを正確なものとして使用すれば良い。しかし、図１中の右側面、つまり側面側の開口端部（片側隙間）ｈ１は直線的なラインになっていないので、直線的なラインとなる基準部材Ｎを使用して、新しいドア枠Ｄｗの右側ラインのライン出しを行う。すなわち、基準部材Ｎの一方端部Ｎｓを新しいドア枠Ｄｗの一方端部Ｄｒと背合わせにして取り付ける。これにより、新しいドア枠Ｄｗの左右端部が共に位置が定まることとなり、傾けるようなことなく正確な位置に取り付けることができる。
【００２３】
ここで、ドア枠Ｄｗは、通常は洗面脱衣室Ａｒの端部（左側端部）ｈ３を基準に取り付けるが、元のドア枠よりも新しいドア枠Ｄｗが大きい場合には、現場では、その取り付け位置を右側（壁の中央よりの位置）にずらすことが生じる。これは元のドア枠と新しいドア枠Ｄｗとの大きさの違いの他に、開口Ｈの開け方によっても生じるが、当初予定の位置よりも少し右側にずらす場合がある。このような場合でも、直線的なラインとなる基準部材Ｎを使用して、新しいドア枠Ｄｗの右側ラインのライン出しを行うことができる。すなわち、新しいドア枠Ｄｗと背あわせの基準部材Ｎを一緒に図中の右側に移動させて行って収まりの良いところで、固定すれば良い。なお、下記に説明するように、基準部材Ｎの位置が予定位置よりも多少ずれたとしても、第１のスペースユニットＵ１の位置は移動させることなく取り付けることができる。
【００２４】
次に、基準部材Ｎを基準にして第１のスペースユニットＵ１を取り付ける。第１のスペースユニットＵ１には、突出部Ｕｔが設けられているので、この突出部Ｕｔを壁面Ｋに接触させ移動させながらスペースユニットＵ１の取り付け位置を設定することで、前記基準部材Ｎを外観上認識できないように隠すことができる。ここで、上記新しいドア枠Ｄｗを少し右側にずらし、これにより基準部材Ｎも右側にずらすことが生じる。しかし、どのような位置にドア枠Ｄｗと基準部材Ｎが配置されたとしても、基準部材Ｎよりも一回り大きな第１のスペースユニットＵ１は、基準部材Ｎを隠すことができる。すなわち、図７（ａ）（ｂ）（ｃ）に示すように、ドア枠Ｄｗの位置が図中右側にずれたとしても、第１のスペースユニットＵ１の位置を移動させずに（第１のスペースユニットＵ１の突出部Ｕｔを壁面Ｋに接触させた状態で）、基準部材Ｎを外観上認識できないように隠すことができる。また、図７（ａ）（ｂ）（ｃ）に示すように、第１のスペースユニットＵ１の突出部Ｕｔを壁面Ｋに接触させ移動させることで（第１のスペースユニットＵ１の一方側端部Ｕｓを基準部材Ｎの正面側Ｎｍに沿うように移動させることで）、基準部材Ｎを外観上認識できないように隠すことができる。ここで、ドア枠Ｄｗの洗面更衣室Ａｒ側の正面側Ｄｍと基準部材Ｎの洗面更衣室Ａｒ側の正面側Ｎｍを面一にすることが好ましい。また、第１のスペースユニットＵ１の突出部Ｕｔの長さ（幅、矢印箇所参照）Ｕａ、つまり突出した分の長さＵａと、基準部材Ｎの厚さＮ１とが同じ長さであることが好ましい。ここで、調整空間Ｘは、第１のスペースユニットＵ１の巾から突出部Ｕｔの巾と基準部材Ｎの巾とを差し引いた巾による空間であり、調整空間Ｘが大きいほど調整の自由度が高くなるが、調整空間Ｘをなくすことも可能である。一方、図８（ａ）（ｂ）（ｃ）に示すように、基準部材Ｎの位置はそのままにして第１のスペースユニットＵ１を移動させることも可能である。
【００２５】
次に、第２のスペースユニットＵ２を取り付ける。第２のスペースユニットＵ２の取り付け方としては、図５に示すように、基準部材Ｎと第１のスペースユニットＵ１の上に載せるようにして、開口Ｈの上方隙間（開口端部）ｈ２を隠す方法と、図６に示すように、基準部材Ｎと第１のスペースユニットＵ１の位置までの長さを有さずに、開口Ｈの上方隙間ｈ２を隠す方法とがある。いずれの場合も、第２のスペースユニットＵ２の横方向の長さをカットにより調整できるものとする。そして、いずれの場合も基準部材Ｎを基準に取り付けるもので、図５に示す基準部材Ｎと第１のスペースユニットＵ１の上に載せる場合では、載せるだけで、第２のスペースユニットＵ２の位置が定まることとなる。図６に示す場合では、第２のスペースユニットＵ２の一方端部Ｕ２ｒと基準部材Ｎの一方端部Ｎｓを背合わせにすることで、第２のスペースユニットＵ２の配置位置の基準を出すことができる。なお、第１のスペースユニットＵ１と基準部材Ｎの上方端は、カットにより長さを揃え、更に第２のスペースユニットＵ２の横方向の長さもカットにより長さを揃えても良い。
【００２６】
（第２の実施形態）
本実施の形態は、ユニットバスが設置されるバスルームＢｒと洗面脱衣室Ａｒとの間の壁Ｋに穴（開口）Ｈを大きく開けたときに生じる左右の側部側の端部ｈ１，ｈ３と上方側の端部ｈ２を隠すように、基準部材Ｎａ，Ｎｂ，Ｎｃを介してスペースユニットＵ１，Ｕ２，Ｕ３や新しいドア枠Ｄｗを取り付けるものである。図９から図１２は、新しいドア枠Ｄｗの取り付け方法を説明するものである。
【００２７】
スペースユニットＵ１，Ｕ２，Ｕ３は、いずれも洗面更衣室Ａｒの側で配設される。ここでは、第１のスペースユニットＵ１はタオルや着替えを入れることができる木製の棚であり、第２のスペースユニットＵ２は洗剤等の小物を入れる木製の棚であり、第３のスペースユニットＵ３は化粧板である。第３のスペースユニットＵ３としては、物干し竿が収納された収納ユニットや、タオルや着替え等を収納できる棚等であっても良い。
【００２８】
基準部材Ｎａ，Ｎｂ，Ｎｃは、直線的にならない開口端部ｈ１，ｈ３，ｈ２をそれぞれ直線的に隠すとともに、ドア枠ＤｗやスペースユニットＵ１，Ｕ２，Ｕ３の位置を設定するための基準となるものであり、洗面脱衣室Ａｒの床面Ａ２から垂直に立設される木製の板状部材である。基準部材Ｎａ，Ｎｂ，Ｎｃは、それぞれの基準部材Ｎａ，Ｎｂ，Ｎｃの厚さはすべて同一の厚さＮ１となっており、基準部材Ｎａ，Ｎｂの長さは同じ長さになっている。
【００２９】
本実施の形態のドア枠の取り付け方法としては、まず、元のドアを除去する時に、元のドア枠の外周にこれよりも大きな穴（開口）Ｈを開ける（図９）。ユニットバスルームＢｒの壁パネルを、元の浴室の壁の上から貼り付ける場合などには左側の開口端部（片側隙間）ｈ３は、壁面よりも少し突出した状態となる（図９）。次に、壁Ｋの穴（開口）Ｈの左右の開口端部ｈ１，ｈ３を直線的に隠すようにして、基準部材Ｎａ，Ｎｂをそれぞれ洗面脱衣室Ａｒの床面Ａ２から垂直に立設させる（図１０）。そして、新しいドア枠Ｄｗを壁Ｋの穴（開口）に取り付ける。新しいドア枠Ｄｗの取り付けに際しては、直線的なラインとなる基準部材Ｎａ，Ｎｂ，Ｎｃを使用して、新しいドア枠Ｄｗの左右両側ラインと上側ラインのライン出しを行う。次に、壁Ｋの穴（開口）Ｈの上方側の開口端部ｈ２を直線的に隠すようにして、基準部材Ｎｃを上記基準部材Ｎａ，Ｎｂの上に載せ、これにより上方側の開口端部ｈ２を直線的に隠す。なお、基準部材Ｎａ，Ｎｂ，Ｎｃの長さは切断により調整しても良い。左右の基準部材Ｎａ，Ｎｂの長さは同じ長さで、基準部材Ｎａ，Ｎｂ，Ｎｃの厚さはすべて同一の厚さＮ１であることから、壁に沿わせるようにするだけで仮の基準部材のＮａ，Ｎｂ，Ｎｃの取り付けができる。
【００３０】
次に、基準部材Ｎａを基準にして第１のスペースユニットＵ１を取り付け（図１１）、基準部材Ｎｂを基準にして第３のスペースユニットＵ３を取り付け（図１２）、基準部材Ｎｃを基準にして第２のスペースユニットＵ２を取り付けると（図１２）、基準部材Ｎａ，Ｎｂ，Ｎｃは、それぞれスペースユニットＵ１，Ｕ３，Ｕ２により、外観上は認識できなくなる。また、基準部材Ｎｂ，Ｎｃを化粧板とすれば、図１１の状態で完成となる。
【００３１】
ここで、現場作業では上記新しいドア枠Ｄｗを少し右側にずらしたり、少し左側にずらしたりする必要が生じることが多い。しかし、どのような位置にドア枠Ｄｗが来るとしても、上記コ字状に組み立てた仮の取付け状態においてドア枠Ｄｗとともに移動させてその位置を設定すれば、ドア枠Ｄｗは左右の基準部材Ｎａ，Ｎｂに挟まれた状態で仮の取付け位置に移動でき、本取り付けを行うことができる。
【００３２】
このように、本実施の形態によれば、洗面脱衣室Ａｒ側の壁Ｋには、塗り壁を施すことなく、簡単に早期に仕上げることができる。なお、ユニットバスルームＢｒ側の壁についても、樹脂製の上記基準部材Ｎａ，Ｎｂ，ＮｃやスペースユニットＵ１，Ｕ２，Ｕ３を同じように取り付けることも可能である。
【００３３】
（第３の実施形態）
本実施の形態は、ユニットバスが設置されるバスルームＢｒと洗面脱衣室Ａｒとの間の壁Ｋに穴（開口）Ｈを大きく開けたときに生じる左右の側部側の端部ｈ１，ｈ３と上方側の端部ｈ２を隠すように、基準部材Ｎａ，Ｎｂ，Ｎｃをそのまま化粧板として、上記スペースユニットＵ１，Ｕ２，Ｕ３を使用しないで新しいドア枠Ｄｗを取り付ける。ドア枠Ｄｗには、ドアが取り付けられる（ドア枠Ｄｗにはめ込まれるドアは図示を省略している）。図１３から図１８は、新しいドア枠Ｄｗの取り付け方法を説明するものである。図１９は、ドア枠Ｄｗの取り付けに使用されるユニット部材Ｕｎを示す図であり、３枚の基準部材Ｎａ，Ｎｂ，Ｎｃとドア枠Ｄｗが組になっている。
【００３４】
基準部材Ｎａ，Ｎｂ，Ｎｃは、直線的にならない開口端部ｈ１，ｈ３，ｈ２をそれぞれ直線的に隠すものであり、洗面脱衣室Ａｒの床面Ａ２から垂直に立設される木製の板状部材である。基準部材Ｎａ，Ｎｂ，Ｎｃは、それぞれの基準部材Ｎａ，Ｎｂ，Ｎｃの厚さはすべて同一の厚さＮ１となっており、基準部材Ｎａ，Ｎｂの長さは同じ長さで、いずれも洗面更衣室Ａｒの側で配設される。基準部材Ｎａは、洗面脱衣室Ａｒの床から天井まで及ぶ長さであるか、切断することにより洗面脱衣室Ａｒの床から天井まで及ぶ長さになる。なお、基準部材Ｎａは、壁Ｋの全体Ｈｈに及ぶような幅を有するものでも良く、また、図１６に示すように、他の基準部材Ｎｄと組み合わせて、壁Ｋの全体Ｈｈに及ぶような幅を有するものでも良い。
【００３５】
本実施の形態のドア枠の取り付け方法としては、まず、元のドアを除去する時に、元のドア枠の外周にこれよりも大きな穴（開口）Ｈを開ける（図１３）。ユニットバスルームＢｒの壁パネルを、元の浴室の壁の上から貼り付ける場合などには左側の開口端部（片側隙間）ｈ３は、壁面よりも少し突出した状態となる。次に、壁Ｋの穴（開口）Ｈの左右の開口端部ｈ１，ｈ３を直線的に隠すようにして、基準部材Ｎａ，Ｎｂをそれぞれ洗面脱衣室Ａｒの床面Ａ２から垂直に立設させる（図１４、図１５）。ここで、図１６に示すように、壁Ｋの穴（開口）Ｈの一方側（ｈ１とｈ３のいずれか）を直線的に隠すようにして、横方向の基準部材Ｎｃにより、上記基準部材Ｎａ壁Ｋの穴（開口）Ｈの上方側の開口端部ｈ２を直線的に隠すようにして、基準部材Ｎｃを取り付けてから、その横において、上方側の開口端部ｈ２を直線的に隠すように取り付けてから、基準部材Ｎｂを取り付けても良い。
そして、新しいドア枠Ｄｗを壁Ｋの穴（開口）に取り付ける。新しいドア枠Ｄｗの取り付けに際しては、直線的なラインとなる基準部材Ｎａ，Ｎｂを使用して、新しいドア枠Ｄｗの左右両側ラインと上側ラインのライン出しを行う。なお、基準部材Ｎａ，Ｎｂ，Ｎｃの長さは切断により調整しても良い。左右の基準部材Ｎａ，Ｎｂの長さは同じ長さで、基準部材Ｎａ，Ｎｂ，Ｎｃの厚さはすべて同一の厚さＮ１であることから、壁に沿わせるようにするだけで基準部材のＮａ，Ｎｂ，Ｎｃの取り付けができる。そして、上方側の基準部材Ｎｃを取り付ける。
【００３６】
次に、基準部材のＮａ，Ｎｂ，Ｎｃの中にドア枠Ｄｗを取り付け（図１７）、このドア枠Ｄｗにドアを取り付ける（図１７）。なお、図１８に示すように、他の基準部材Ｎｄと組み合わせて、壁Ｋの全体Ｈｈに及ぶように他の基準部材Ｎｄを取り付ける。このようにすると、洗面脱衣室ＡｒのユニットバスルームＢｒ側の壁Ｋ全体を早く取り替えることが可能になる。
【００３７】
ここで、本実施の形態のユニット部材Ｕｎしては、図１９に示すように、上記新しいドア枠Ｄｗと、３枚の基準部材のＮａ，Ｎｂ，Ｎｃである。場合によっては、更に基準部材Ｎｄが使用される場合があるが、ドア枠Ｄｗの右側と上方のみ取り替える場合が考えられ、この場合は基準部材Ｎｂは不要になる。
【００３８】
以上、本実施の形態では、ユニットバスルームＢｒと洗面脱衣室Ａｒとの間の壁Ｋの場合で説明したが、本発明は、新しいドア枠Ｄｗを取り付ける箇所であれば、通常の部屋と部屋の間でも同じように施工可能である。なお、ユニットバスルームＢｒであれば、ユニットバスルームＢｒ側での塗り壁の必要は無くなるが、単なるバスルームの場合には塗り壁を施すことで、本発明を適用することが出来る。このように、本発明は、その趣旨を逸脱しない範囲で適宜変更が可能であることは言うまでもない。
【図面の簡単な説明】
【００３９】
【図１】本発明の一実施の形態のドア枠の取り付け方法を説明する図である。
【図２】本発明の一実施の形態のドア枠の取り付け方法を説明する図である。
【図３】本発明の一実施の形態のドア枠の取り付け方法を説明する図である。
【図４】本発明の一実施の形態のドア枠の取り付け方法を説明する図である。
【図５】本発明の一実施の形態のドア枠の取り付け方法を説明する図である。
【図６】本発明の一実施の形態のドア枠の取り付け方法を説明する図である。
【図７】本発明の一実施の形態のドア枠と第１のスペースユニットの取り付け方法を説明する図である。
【図８】本発明の一実施の形態のドア枠と第１のスペースユニットの取り付け方法を説明する図である。
【図９】本発明の第２の実施の形態のドア枠の取り付け方法を説明する図である。
【図１０】本発明の第２の実施の形態のドア枠の取り付け方法を説明する図である。
【図１１】本発明の第２の実施の形態のドア枠の取り付け方法を説明する図である。
【図１２】本発明の第２の実施の形態のドア枠の取り付け方法を説明する図である。
【図１３】本発明の第３の実施の形態のドア枠の取り付け方法を説明する図である。
【図１４】上記第３の実施の形態のドア枠の取り付け方法を説明する図である。
【図１５】上記第３の実施の形態のドア枠の取り付け方法を説明する図である。
【図１６】上記第３の実施の形態のドア枠の取り付け方法を説明する図である。
【図１７】上記第３の実施の形態のドア枠の取り付け方法を説明する図である。
【図１８】上記第３の実施の形態のドア枠の取り付け方法を説明する図である。
【図１９】上記第３の実施の形態のユニット部材を示す斜視図である。
【符号の説明】
【００４０】
Ａｒ  洗面脱衣室、
Ｂｒ  ユニットバスルーム（バスルーム）、
Ｄｗ  ドア枠（新しいドア枠）、Ｄｒ  ドア枠の一方端部、
Ｋ  壁、
ｈ１，ｈ３  側面側の開口端部（片側隙間）、
ｈ２        上方側の隙間（上方側の開口端部）、
Ｕ１  第１のスペースユニット、Ｕ２  第２のスペースユニット、
Ｕ３  第３のスペースユニット、Ｕａ  突出部の突出した分の長さ、  
Ｕｔ  第１のスペースユニットの突出部、
Ｕｓ  第１のスペースユニットの一方端部、
Ｕｎ  ユニット部材、
Ｎ，Ｎａ，Ｎｂ，Ｎｃ，Ｎｄ  基準部材、Ｎ１  基準部材の厚さ、
Ｎｓ  基準部材の一方端部、Ｎｍ  基準部材の正面側
【図１】
2009079468.tif 000003
【図２】
2009079468.tif 000004
【図３】
2009079468.tif 000005
【図４】
2009079468.tif 000006
【図５】
2009079468.tif 000007
【図６】
2009079468.tif 000008
【図７】
2009079468.tif 000009
【図８】
2009079468.tif 000010
【図９】
2009079468.tif 000011
【図１０】
2009079468.tif 000012
【図１１】
2009079468.tif 000013
【図１２】
2009079468.tif 000014
【図１３】
2009079468.tif 000015
【図１４】
2009079468.tif 000016
【図１５】
2009079468.tif 000017
【図１６】
2009079468.tif 000018
【図１７】
2009079468.tif 000019
【図１８】
2009079468.tif 000020
【図１９】
2009079468.tif 000021